【手続補正書】
【提出日】平成25年5月28日(2013.5.28)
【手続補正１】
【補正対象書類名】特許請求の範囲
【補正対象項目名】全文
【補正方法】変更
【補正の内容】
【特許請求の範囲】
【請求項１】
１つまたは複数のコンピュータによって実行される方法であって、
前記１つまたは複数のコンピュータによって、ユーザが特有のネットワークロケーションにアクセスしたという通知を受信するステップであって、前記特有のネットワークロケーションは、コンテンツプロバイダに関連付けられたユーザトラフィック検出子を含み、ユーザが前記特有のネットワークロケーションにアクセスするとともに前記通知がユーザ識別子とコンテンツプロバイダの識別子とを含む場合、前記ユーザトラフィック検出子はユーザに関連付けられたデバイスが前記通知を送信するように構成される、ステップと、
前記ユーザが前記特有のネットワークロケーションにアクセスしたという通知を受信したことに応答して
前記１つまたは複数のコンピュータによって、前記通知に含まれるコンテンツプロバイダの識別子に基づいて、前記ユーザトラフィック検出子に関連付けられたコンテンツプロバイダを識別するステップと、
前記１つまたは複数のコンピュータによって、難読化されたユーザ識別子を生成するように前記通知に含まれた前記ユーザ識別子を難読化するステップと、
前記１つまたは複数のコンピュータによって、ユーザにコンテンツを供給するために複数のコンテンツプロバイダのうちの一つのコンテンツプロバイダに決定するように複数のコンテンツプロバイダが関与する競売でコンテンツプロバイダからの入札要求を前記コンテンツプロバイダに送信するステップであって、前記要求は、コンテンツプロバイダが競売で入札するか否かを決定するために使用する難読化されたユーザ識別子を含む、ステップと、
前記コンテンツプロバイダから入札を受信するステップと、
前記コンテンツプロバイダが競売に勝ったことを決定するステップと、
前記コンテンツプロバイダが競売に勝ったことを前記コンテンツプロバイダに通知するステップと、
前記コンテンツプロバイダからユーザにコンテンツを供給する意図を受信するステップと、
前記コンテンツプロバイダからユーザにコンテンツを供給する意図を受信したことに応答して、前記１つまたは複数のコンピュータによって、ユーザに関連付けられたデバイスに、前記コンテンツプロバイダから先に受信したリダイレクト識別子を送信するステップであって、前記リダイレクト識別子は、コンテンツに対して前記コンテンツプロバイダに関連付けられたネットワークロケーションにユーザをリダイレクトするとともに、前記コンテンツプロバイダは難読化されたユーザ識別子に関連付けられたユーザを識別するために使用するプロバイダ特有の識別子を前記コンテンツプロバイダに送信するようにユーザに関連付けられたデバイスに誘導する、ステップとを
有する方法。
【請求項２】
前記通知を受信するステップは、前記ユーザが複数のネットワークロケーションにアクセスするために使用するネットワークブラウザから通知を受信するステップを有する請求項１に記載の方法。
【請求項３】
ネットワークロケーションがアクセスされたことを検出するようにユーザトラフィック検出子を構成するステップと、
前記コンテンツプロバイダに前記ユーザトラフィック検出子を供給するステップであって、前記コンテンツプロバイダは前記特有のネットワークロケーションを含む複数のネットワークロケーション中の前記ユーザトラフィック検出子を含む、ステップと
を有する請求項１に記載の方法。
【請求項４】
前記難読化されたユーザ識別子は、前記コンテンツプロバイダに特有であり、さらに前記通知中に含まれる前記ユーザ識別子をハッシュすることによって生成される
請求項１に記載の方法。
【請求項５】
前記リダイレクト識別子は、前記難読化されたユーザ識別子を含むユニフォームリソースロケータである請求項1に記載の方法。
【請求項６】
前記リダイレクト識別子がポイントする前記ネットワークロケーションは、前記コンテンツプロバイダに関連付けられたサーバである請求項1に記載の方法。
【請求項７】
一つ又は複数のコンピュータによってステップを処理する実行可能なソフトウェア命令を備えたコンピュータ可読媒体であって、前記ソフトウェア命令は、
ユーザに広告を供給するための前記広告ネットワークを識別するネットワーク識別子を受信する動作であって、前記広告ネットワークは、前記広告ネットワークにそれぞれが広告を供給する複数の広告主を代表する、動作と、
前記ネットワーク識別子に基づいて、トラフィック検出子を生成する動作であって、前記トラフィック検出子は特有のネットワークロケーションに含まれるとともに、i)ユーザによって前記特有のネットワークロケーションのアクセスを検出しかつii)ユーザに関連付けられたデバイスがアクセスを検出することに基づいてネットワーク識別子を送信するように構成され、前記広告ネットワークは、前記特有のネットワークロケーションに前記トラフィック検出子を関連付ける、動作と、
前記ユーザによって前記特有のネットワークロケーションのアクセスの通知を受信する動作であって、前記通知はネットワーク識別子を含むとともにユーザ識別子はユーザを識別する、動作と、
前記ユーザによって前記特有のネットワークロケーションのアクセスの通知の受信に応答して、
難読化されたユーザ識別子を生成するための通知内に含まれるユーザ識別子を難読化する動作と、
前記ユーザに広告を供給するために複数の広告主のうちの一つの広告主を決定するために複数の広告主が関与する競売で広告ネットワークからの入札の要求を、広告ネットワークに送信する動作であって、前記要求は、前記広告ネットワークが競売で入札すべきか否かを決定するために使用する前記難読化されたユーザ識別子を含む、動作と、
前記広告ネットワークからの入札を受信する動作と、
前記広告ネットワークが競売に勝ったことを決定する動作と、
前記広告ネットワークが競売に勝ったことを前記前記広告ネットワークに通知する動作と、
前記広告ネットワークからユーザに広告を供給する意図を受信する動作と、
前記広告ネットワークからユーザに広告を供給する意図を受信したことに応答して、前記広告用の広告ネットワークにユーザと関連付けられたデバイスにリダイレクトし、リダイレクトする動作は、難読化されたユーザ識別子に関連付けられたユーザを識別するために広告ネットワークが使用する特有のネットワークユーザ識別子を広告ネットワークに送信するようにユーザに関連付けられたデバイスに誘導する、動作とを
有する、コンピュータ可読媒体。
【請求項８】
前記トラフィック検出子は、Uniform Resource Locatorであるとともに、前記特有のネットワークロケーションはウェブサイトのウェブページである請求項7に記載の媒体。
【請求項９】
前記特有のネットワークロケーションは、前記広告ネットワークと関係するソフトウェアプログラム命令を実行するサーバである請求項8に記載の媒体。
【請求項１０】
前記トラフィック検出子は、前記ネットワーク識別子を含む請求項7に記載の媒体。
【請求項１１】
前記トラフィック検出子は、HTMLイメージタグを備える請求項7に記載の媒体。
【請求項１２】
前記ユーザによって前記特有のネットワークロケーションがアクセスされたという前記通知は、前記ユーザが前記特有のネットワークロケーションにアクセスするネットワークブラウザから、前記ユーザが前記ネットワークブラウザを使用して前記ネットワークロケーションにアクセスしたことに応答して、受信される請求項7に記載の媒体。
【請求項１３】
前記動作は、前記広告ネットワークに関連付けられたネットワークリソースを表すリダイレクト識別子を、前記広告ネットワークから受信する動作と、
前記リダイレクト識別子を、前記ユーザに送信される前記通知の中に含め、前記ユーザに関連付けられたデバイスは、前記広告ネットワークに前記リダイレクト識別子を送信する、動作とをさらに備える請求項7に記載の媒体。
【請求項１４】
前記ネットワークリソースは、前記広告である請求項13に記載の媒体。
【請求項１５】
前記ネットワークリソースは、前記広告を含むネットワークロケーションである請求項13に記載の媒体。
【請求項１６】
前記ネットワークリソースは、前記広告主に関連付けられたネットワークロケーションである請求項13に記載の媒体。
【請求項１７】
１つまたは複数のコンピュータと、
ステップを処理する実行可能なソフトウェア命令を備えたコンピュータ可読媒体とを有し、前記ソフトウェア命令は、
ユーザが特有のネットワークロケーションにアクセスしたという通知を受信するステップであって、前記特有のネットワークロケーションは、コンテンツプロバイダに関連付けられたユーザトラフィック検出子を含み、ユーザが前記特有のネットワークロケーションにアクセスするとともに前記通知がユーザ識別子とコンテンツプロバイダの識別子とを含む場合、前記ユーザトラフィック検出子はユーザに関連付けられたデバイスが前記通知を送信するように構成される、ステップと、
前記ユーザが前記特有のネットワークロケーションにアクセスしたという通知を受信したことに応答して
前記通知に含まれるコンテンツプロバイダの識別子に基づいて、前記ユーザトラフィック検出子に関連付けられたコンテンツプロバイダを識別するステップと、
難読化されたユーザ識別子を生成するように前記通知に含まれた前記ユーザ識別子を難読化するステップと、
ユーザにコンテンツを供給するために複数のコンテンツプロバイダのうちの一つのコンテンツプロバイダに決定するように複数のコンテンツプロバイダが関与する競売でコンテンツプロバイダからの入札要求を前記コンテンツプロバイダに送信するステップであって、前記要求は、コンテンツプロバイダが競売で入札するか否かを決定するために使用する難読化されたユーザ識別子を含む、ステップと、
前記コンテンツプロバイダから入札を受信するステップと、
前記コンテンツプロバイダが競売に勝ったことを決定するステップと、
前記コンテンツプロバイダが競売に勝ったことを前記コンテンツプロバイダに通知するステップと、
前記コンテンツプロバイダからユーザにコンテンツを供給する意図を受信するステップと、
前記コンテンツプロバイダからユーザにコンテンツを供給する意図を受信したことに応答して、前記１つまたは複数のコンピュータによって、ユーザに関連付けられたデバイスに、前記コンテンツプロバイダから先に受信したリダイレクト識別子を送信するステップであって、前記リダイレクト識別子は、コンテンツに対して前記コンテンツプロバイダに関連付けられたネットワークロケーションにユーザと関連付けられたデバイスをリダイレクトするとともに、前記コンテンツプロバイダは難読化されたユーザ識別子に関連付けられたユーザを識別するために使用するプロバイダ特有の識別子を前記コンテンツプロバイダに送信するようにユーザに関連付けられたデバイスに誘導する、ステップとを
有するシステム。
【請求項１８】
前記通知を受信するステップは、前記ユーザが複数のネットワークロケーションにアクセスするために使用するネットワークブラウザから通知を受信するステップを有する請求項１７に記載のシステム。
【請求項１９】
ネットワークロケーションがアクセスされたことを検出するようにユーザトラフィック検出子を構成するステップと、
前記コンテンツプロバイダに前記ユーザトラフィック検出子を供給するステップであって、前記コンテンツプロバイダは前記特有のネットワークロケーションを含む複数のネットワークロケーション中の前記ユーザトラフィック検出子を含む、ステップと
を有する請求項１７に記載のシステム。
【請求項２０】
前記難読化されたユーザ識別子は、前記コンテンツプロバイダに特有であり、さらに前記通知中に含まれる前記ユーザ識別子をハッシュすることによって生成される
請求項１７に記載のシステム。